(57)【要約】 【課題】従来に比べて軽量なコンパクトタイプのディスプレイ装置を提供する。【解決手段】骨格部分を形成するフレーム１０と、フレーム１０に支持されたドーム型のスクリーン２０と、スクリーン２０に投影させる光Ｌを射出するプロジェクター３０と、プロジェクター３０からの光Ｌを反射させてスクリーン２０に投影させる反射部４０と、を備えるディスプレイ装置１００において、フレーム１０は、軽量材料から形成された筒部１１ｂ等を有することを特徴とする。【選択図】図１
2017102135.tif 000002
【特許請求の範囲】
【請求項１】
骨格部分を形成するフレームと、
前記フレームに支持されたドーム型のスクリーンと、
前記スクリーンに投影させる光を射出するプロジェクターと、
前記プロジェクターからの光を反射させて前記スクリーンに投影させる反射部と、
を備えるディスプレイ装置において、
前記フレームは、軽量材料から形成された筒部を有することを特徴とするディスプレイ装置。
【請求項２】
前記軽量材料は、紙であることを特徴とする請求項１記載のディスプレイ装置。
【請求項３】
前記軽量材料は、アルミニウム又はアルミニウム合金であることを特徴とする請求項１記載のディスプレイ装置。
【請求項４】
前記フレームは、板状の補強パネルを有することを特徴とする請求項１〜請求項３のいずれか１項に記載のディスプレイ装置。
【請求項５】
前記フレームは、スクリーンを支持するスクリーン支持部を有し、
前記フレームは、前記スクリーン支持部の水平面に対する角度の調整を行う角度調整部を備えることを特徴とする請求項１〜請求項４のいずれか１項に記載のディスプレイ装置。
【請求項６】
スピーカーと、
前記スピーカーの後部側に設けられた筒状体と、
を備えることを特徴とする請求項１〜請求項５のいずれか１項に記載のディスプレイ装置。
【請求項７】
前記スクリーンに投影される光は、水平面に対して略３０°の仰角で前記スクリーンに入射することを特徴とする請求項１〜請求項６のいずれか１項に記載のディスプレイ装置。
【請求項８】
前記スクリーンは、ドーム型の天頂部がディスプレイ装置の正面側に向くように、水平面に対して傾斜した状態で前記フレームに支持され、水平面に対する前記スクリーンの傾斜角度は、略４５°に設定されることを特徴とする請求項１〜請求項７のいずれか１項に記載のディスプレイ装置。
【発明の詳細な説明】
【技術分野】
【０００１】
本発明は、ディスプレイ装置に関する。
【背景技術】
【０００２】
ドーム型スクリーンと、その内側に配置されたプロジェクターと、を備え、プロジェクターから射出された光をドーム型スクリーンに投影させて画像を表示させるディスプレイ装置が知られている。このようなディスプレイ装置では、表示される画像が半球面状となる。よって、一般的な平面型スクリーンに表示される画像に比べて立体感のある画像を提供することができ、このような優れた映像表示によって見る人に対して視覚を通じてインパクトを与えることができる。
【０００３】
このようなディスプレイ装置としては、コンパクトに形成されたタイプのものが知られている（特許文献１参照）。このようなディスプレイ装置によれば、プラネタリウム専用に制作されたコンテンツを再生することも可能であるため、人通りの多い場所などに設置することにより、このようなコンテンツの画像を不特定多数の人々に観覧させる機会を増やすことができる。また、このようなディスプレイ装置が公共の場所や各種イベント会場等に設置されて人々に対する情報の提供や宣伝広告に用いられると、表示される画像が通行人の注意を惹くため、通行人がディスプレイ装置の前に立ち止まってスクリーンの画像表示を見ることが助長される。そのため、情報の提供等を効率よく行うことが可能となる。さらには、上記のようなディスプレイ装置の優れた映像表示を介して、表示する情報や広告について不特定多数の人々に強い印象を与えることができる。
【先行技術文献】
【特許文献】
【０００４】
【特許文献１】特開２０１２−２３０４０４号公報
【発明の概要】
【発明が解決しようとする課題】
【０００５】
しかしながら、このようなディスプレイ装置が重量であると、所定の設置場所への搬入作業及び設置場所からの搬出作業が容易ではなく、かつ輸送コストも生じるため、このようなディスプレイ装置の利用を躊躇する要因となってしまう。そこで本発明では、上記した事情に鑑み、従来に比べて軽量なコンパクトタイプのディスプレイ装置を提供することを目的とする。
【課題を解決するための手段】
【０００６】
上記目的を達成するために、本発明は、骨格部分を形成するフレームと、フレームに支持されたドーム型のスクリーンと、スクリーンに投影させる光を射出するプロジェクターと、プロジェクターからの光を反射させてスクリーンに投影させる反射部と、を備えるディスプレイ装置において、フレームは、軽量材料から形成された筒部を有することを特徴とする。
【０００７】
また、筒部を形成する軽量材料は、紙、アルミニウム、又はアルミニウム合金であってもよい。また、フレームは、板状の補強パネルを有してもよい。また、フレームは、スクリーンを支持するスクリーン支持部を有し、スクリーン支持部の水平面に対する角度の調整を行う角度調整部を備えてもよい。
【０００８】
また、ディスプレイ装置は、スピーカーと、スピーカーの後部側に設けられた筒状体と、を備えてもよい。また、スクリーンに投影される光は、水平面に対して略３０°の仰角でスクリーンに入射させてもよい。また、スクリーンは、ドーム型の天頂部がディスプレイ装置の正面側に向くように、水平面に対して傾斜した状態でフレームに支持され、水平面に対するスクリーンの傾斜角度は、略４５°に設定されてもよい。
【発明の効果】
【０００９】
本発明のディスプレイ装置によれば、優れた映像表示を発揮する機能を有するとともに、フレームは軽量材料から形成された筒部を有することにより、フレームの強度を確保しつつ軽量化を図り、ディスプレイ装置全体の軽量化を実現することができる。
【００１０】
また、筒部を形成する軽量材料が紙のものでは、筒部の材料が安価であるため、ディスプレイ装置の製造コストを低減させ、軽量なディスプレイ装置を安価に提供することができる。また、筒部を形成する軽量材料が、アルミニウム又はアルミニウム合金のものでは、フレームの強度が確保され、フレームに補強部材等が不要となるため、フレーム、ひいてはディスプレイ装置を簡素な構成とし、ディスプレイ装置の組み立て及び設置を容易化することができる。また、フレームが板状の補強パネルを有するものでは、フレームの強度を向上させることができる。
【００１１】
また、スピーカー、及びスピーカーの後部側に設けられた筒状体を備えるものでは、スクリーンに表示された映像とともに音を出力させることができ、映像及び音を有するコンテンツの再生が可能となる。また、筒状体の構成により、スピーカーからの音量及び音質を確保することができる。また、スクリーンに投影される光を、水平面に対して略３０°の仰角でスクリーンに入射させるものでは、スクリーンに表示される画像を見やすくすることができる。また、スクリーンは、ドーム型の天頂部がディスプレイ装置の正面側に向くように、水平面に対して傾斜した状態でフレームに支持され、水平面に対するスクリーンの傾斜角度は、略４５°に設定されるものでは、ディスプレイ装置の高さあるいは幅の寸法を大きくすることなく、正面側からのスクリーン全体の視認を容易化することができる。
【図面の簡単な説明】
【００１２】
【図１】第１実施形態に係るディスプレイ装置の一例を示し、（ａ）は正面図、（ｂ）は（ａ）のＡ−Ａ線に沿った断面図である。
【図２】図１のディスプレイ装置のフレームを示す分解斜視図である。
【図３】図１に示すディスプレイ装置の要部を示す斜視図である。
【図４】第２実施形態に係るフレームの一例を示し、（ａ）は斜視図、（ｂ）は、フレームを構成する筒部の断面である。
【図５】第３実施形態に係るディスプレイ装置の一例の要部を示し、（ａ）は斜視図、（ｂ）は正面図である。
【図６】第４実施形態に係るディスプレイ装置の一例の要部を示す斜視図である。
【図７】実施形態に係るディスプレイ装置のフレームの第１〜第３変形例を示す。
【発明を実施するための形態】
【００１３】
以下、本発明の実施形態について図面を参照しながら説明する。ただし、本発明はこれに限定されるものではない。また、以下の実施形態を説明するため、図面においては一部分を大きくまたは強調して記載するなど適宜縮尺を変更して表現している。
【００１４】
以下の各図において、ＸＹＺ座標系を用いて図中の方向を説明する。このＸＹＺ座標系においては、水平面をＸＺ平面とする。このＸＺ平面において、ディスプレイ装置の前後方向をＸ方向と表記し、Ｘ方向に直交する方向（左右方向）をＺ方向と表記する。ＸＺ平面に垂直な方向（ディスプレイ装置の高さ方向）はＹ方向と表記する。Ｘ方向、Ｙ方向、及びＺ方向のそれぞれは、図中の矢印の方向が＋方向であり、矢印の方向とは反対の方向が−方向であるものとして説明する。
【００１５】
＜第１実施形態＞
第１実施形態に係るディスプレイ装置の一例について、図面を参照して説明する。図１は、第１実施形態に係るディスプレイ装置１００を示し、（ａ）は正面図、（ｂ）は（ａ）のＡ−Ａ線に沿った断面図である。また、図２は、図１のディスプレイ装置のフレームを示し、（ａ）は斜視図、（ｂ）は要部断面図である。ディスプレイ装置１００の寸法は、例えば、左右幅（Ｚ方向の長さ）は７００ｍｍ、前後幅（Ｘ方向の長さ）は１２３０ｍｍ、高さ（Ｙ方向の長さ）は１２４０ｍｍである。ディスプレイ装置１００は、図１に示すように、フレーム１０と、スクリーン２０と、プロジェクター３０と、反射部４０と、スピーカー５０と、を有している。
【００１６】
フレーム１０は、図１（ｂ）に示すように、ディスプレイ装置１００の骨格を形成する部材であり、後述するスクリーン２０を支持する。フレーム１０は、＋Ｙ側に配置される上側フレーム１０ａと、上側フレーム１０ａの下側（−Ｙ側）に配置される下側フレーム１０ｂとから構成される。上側フレーム１０ａと下側フレーム１０ｂとは、互いに接続されている。
【００１７】
図２に示すように、上側フレーム１０ａは、Ｚ方向に平行に配置された２本の筒部１１ａと、Ｙ方向に平行に配置された４本の筒部１１ｂと、４個の３方分岐構造の継手部１２ａと、筒部１１ｂと筒部１１ｉとを同軸上で接続させる４個のソケット状の継手部１２ｂと、２枚の補強パネル１３ａ、１３ｂと、を有し、全体として略立方体状の骨格を形成する。継手部１２ｂは、それぞれ筒部１１ｂの−Ｙ側の端部に設けられている。
【００１８】
下側フレーム１０ｂは、Ｚ方向に平行かつ短管状の６本の筒部１１ｃと、Ｘ方向に平行かつ補強パネル１３ｃ、１３ｄに隣接して配置される８本の筒部１１ｄと、Ｘ方向に平行かつ補強パネル１３ｃ、１３ｄから離間して配置される４本の筒部１１ｅと、Ｙ方向に平行な６本の筒部１１ｆと、Ｚ方向に平行な３本の筒部１１ｇと、Ｚ方向に平行かつ筒部１１ｃより長くかつ筒部１１ｇよりも短く形成された３本の筒部１１ｈと、６個の３方分岐構造の継手部１２ｃと、４個のＴ字状の継手部１２ｄと、２個の十字状の継手部１２ｅと、４個の４分岐構造の継手部１２ｆと、２個の５分岐構造の継手部１２ｇと、２枚の補強パネル１３ｃ、１３ｄとを有し、全体としてＸ方向が長い略直方体状の骨格を形成する。また、４本の筒部１１ｉは、下側フレーム１０ｂの＋Ｙ側において補強パネル１３ｃ、１３ｄの＋Ｙ側端部よりも＋Ｙ側に一部が突出して配置され、上側フレーム１０ａの継手部１２ｂに嵌め込み可能な位置及び形状に形成される。
【００１９】
下側フレーム１０ｂの−Ｙ側に配置された筒部１１ｃ、１１ｅ、１１ｈ及び継手部１２ｄ、１２ｅの上側には、例えば矩形かつ板状の設置台６０が配置されており、これらの筒部１１ｃ等及び継手部１２ｄ等は、設置台６０を下方から支持する支持部１４を構成する。支持部１４は、筒部１１ｃ等及び継手部１２ｄ等は格子状に形成されることにより、設置台６０を下方から支持可能な強度が確保されている。また、下側フレーム１０ｂは、上側フレーム１０ａと組み合わされた後に、スクリーン３０を支持可能な強度が確保可能に形成される。
【００２０】
筒部１１ａ等は、直線状に延びる円管状の部材であり、ディスプレイ装置１００において、Ｘ方向、Ｙ方向、又はＺ方向に対して平行に配置される。筒部１１ａ等は、紙製である。紙材料としては、例えば古紙やクラフトパルプが用いられる。筒部１１ａ等としては、例えば、円筒軸に薄い紙を平巻きあるいは螺旋状巻きされた長い紙製円筒形パイプが所定の長さに切断されたものが使用される。なお、筒部１１ａ等の材料は、紙に代えて、アルミニウム、アルミニウム合金、ステンレスなどの軽量金属や樹脂などの他の軽量材料であってもよい。
【００２１】
筒部１１ａ等の長さ以外の寸法は、例えば、外径２０ｍｍ〜４０ｍｍ、肉厚１ｍｍ〜２ｍｍであり、それぞれ同一に設定されている。このように筒部１１ａ等の外径が２０ｍｍ以上かつ肉厚が１ｍｍ以上であることにより、ディスプレイ装置１００の骨格の強度及び後述するスクリーン２０を保持可能な強度の確保が容易となる。また、外径４０ｍｍ以下かつ肉厚２ｍｍ以下であることにより、フレーム１０を軽量かつ小型に形成することができる。また、筒部１１ａ等のそれぞれは、長さ以外の寸法が同一であるので、筒部１１ａの調達コストの低減及びフレーム１０の組立や分解の容易化を図ることができる。
【００２２】
なお、筒部１１ａ等の形状としては、円管形状に限定されず、楕円管形状、長円管形状、あるいは角管形状など、種々の管形状であってよい。また、筒部１１ａ等の外径及び肉厚についても、上記の数値に限定されず、適宜変更が可能である。また、筒部１１ａ等の一部又は全部は、長さ以外の寸法あるいは形状が異なってもよい。また、筒部１１ａ等の一部は、異なる材料から形成されてもよい。また、筒部１１ａ等は、直線状に代えて曲線状あるいは曲線状を含む形状であってもよい。また、筒部１１ａ等は、Ｘ方向、Ｙ方向、又はＺ方向に対して傾斜して配置されてもよい。また、筒部１１ａ等は、内側が中空状であるが、筒部１１ａ等の材料よりも軽量な材料が内側に充填されてもよい。この場合、中空状の場合に比べて外力に対する筒部１１ａ等の強度を向上させることができる。また、筒部１１ａ等の外部表面は、コーティング材などで被覆してもよい。この場合、筒部１１ａ等の表面に生じるキズを低減させることができる。なお、以上の筒部１１ａ等に関する事項は、後述する筒部２１１等について適用されてもよい。
【００２３】
継手部１２ａ等は、筒部１１ａ等同士を接続するための部材である。継手部１２ａ等は、筒部１１ａ等の長手方向の端部と連結される。継手部１２ａ等は、筒部１１ａ等の端部が嵌め込まれる挿入口を有している。継手部１２ａ等としては、例えば、塩化ビニルなどのプラスチック製の配管用継手部材が用いられるが、筒部１１ａ等と同一の紙製部材が用いられてもよい。この場合、フレーム１０はより一層軽量化及び低コスト化が可能となるため、より一層ディスプレイ装置１００の軽量化及び低コスト化を実現することができる。なお、継手部１２ａ等の構成及び数量は、上記したものに限定されず、接続される筒部１１ａ等の形状や数量に合わせて適宜変更が可能である。後述する継手部２１２ａ等についても同様である。
【００２４】
補強パネル１３ａ、１３ｂ、１３ｃ、１３ｄは、板状の部材である。補強パネル１３ａ、１３ｂは、上側フレーム１０ａにおいてＸＹ平面に平行かつ対称に配置される。補強パネル１３ａ、１３ｂは、上側フレーム１０ａの＋Ｚ側及び−Ｚ側の側壁を構成するとともに、上側フレーム１０ａにおける骨格の一部としての機能を有する。補強パネル１３ａ、１３ｂの内側面にはそれぞれ継手部１２ａ、１２ｂが例えば接着により固定されており、継手部１２ａ、１２ｂは補強パネル１３ａ、１３ｂにより支持される。そのため、上側フレーム１０ａは、筒部１１ａ等及び継手部１２ａ等のみから形成される場合と比較して構造的強度が向上している。
【００２５】
補強パネル１３ｃ、１３ｄは、下側フレーム１０ｂにおいてＸＹ平面に平行かつ対称に配置される。補強パネル１３ｃ、１３ｄは、それぞれ下側フレーム１０ｂの＋Ｚ側及び−Ｚ側の側壁を構成するとともに、下側フレーム１０ｂにおける骨格の一部としての機能を有する。補強パネル１３ｃ等の内側面にはそれぞれ継手部１２ｃ、１２ｆ、１２ｇが例えば接着により固定されており、継手部１２ｃ、１２ｆ、１２ｇは補強パネル１３ｃ、１３ｂにより支持される。そのため、下側フレーム１０ｂは、筒部１１ｂ等及び継手部１２ｃ等のみから形成される場合と比較して構造的強度が向上している。以上説明した補強パネル１３ａ等の構成は、フレーム１０の他の部分において採用されてもよく、例えば後述する支持部１４に補強パネル１３ａ等の構成を適用してもよい。
【００２６】
これらの補強パネル１３ａ等の材質は、例えばプラスチックやアクリルなどの樹脂が用いられるが、これに限定されない。また、補強パネル１３ａ等の形状についても上記形状に限定されない。例えば、補強パネル１３ａ等は、継手部１２ａ等が固定されていない表面の領域の一部あるいは全部が抜かれた形状であってもよい。この場合、上部フレーム１０ａあるいは下部フレーム１０ｂの構造的強度の低下を抑制しつつ、補強パネル１３ａ等を軽量化することができる。また、補強パネル１３ａ等のフレーム１０において配置される位置は、上記した位置に限定されず、例えばフレーム１０の前方（＋Ｘ側）あるいは後方（−Ｘ側）の位置にＹＺ平面に平行に配置されてもよい。また、補強パネル１３ａ等の表面には、補強パネル１３ａ等の強度を向上させるために、表面から突出した構成のリブが設けられてもよい。
【００２７】
フレーム１０は、上記した形状及び構成に限定されず、筒部１１ａ等を有しかつディスプレイ装置１００の骨格を形成するものであれば、種々の形状及び構成であってよい。例えば、フレーム１０は、筒部１１ａ等、継手部１２ａ等、及び補強パネル１３ａ等の一部又は全部が、一体的に形成された部材であってもよい。また、フレーム１０において、継手部１２ａ等及び補強パネル１３ａ等の一部あるいは全部は設けられなくてもよい。また、フレーム１０を構成する複数の筒部１１ａ等のうち一部の構成は、筒部１１ａ等の材料と異なる材料から形成された筒状部材としてもよく、筒部１１ａ等に代えて棒状部材としてもよい。また、フレーム１０は、フレームを筺体とした場合の筺体の一部の構成を含んでもよい。上記したフレーム１０の形状及び構成に関する事項は、以下の実施形態のフレーム２１０等においても同様に適用が可能である。
【００２８】
スクリーン２０は、プロジェクター３０から射出され、反射部４０により反射された光Ｌを投影して静止画や動画を表示させる。スクリーン２０は、例えば略半球状のドーム型を有する形状に形成される。スクリーン２０は、投影面２１と光透過部２２とを有している。投影面２１は、スクリーン２０の内側面に形成され、反射部４０からの光Ｌを投影させる。光透過部２２は、例えば透明の部材から形成され、投影面２１の画像を透過させて外部に表示可能となっている。スクリーン２０の直径は、例えば５００ｍｍに設定される。また、投影面２１の曲率は任意に設定可能である。
【００２９】
スクリーン２０は、天頂部２０ａがディスプレイ装置１００の正面側（＋Ｘ側）に向くように、水平面（ＸＺ平面）に対して傾斜した状態でフレーム１０に支持される。スクリーン２０の水平面に対する傾斜角度θ１は、略４５°に設定される。なお、以下の実施形態についても同様である。このように略４５°の角度θ１でスクリーン２０が傾斜して配置されることにより、Ｘ方向（前後方向）及びＹ方向（高さ方向）にスクリーン２０の天頂部が突出して、ディスプレイ装置１００の前後方向の幅あるいは高さの寸法が大きくなることを抑制しつつ、ディスプレイ装置１００の正面側（＋Ｘ側）から見た場合のスクリーン２０の視認可能となる範囲を拡げることができる。そのため、特に、スクリーン２０の背面側（−Ｘ側）に画像が表示される場合であっても、正面側からの視認が容易となる。スクリーン２０は、軽量に形成されるため、例えば、プラスチックなどの樹脂製であるが、他の材料から形成されてもよい。
【００３０】
スクリーン２０は上記した構成に限定されず、例えば、スクリーン２０の水平面に対する傾斜角度θ１は、反射部４０により反射された光Ｌが投影可能であれば、任意に設定可能である。また、フレーム１０の上側（＋Ｙ側）においてＸＺ平面に平行に配置されてもよい。すなわち、天頂部２０ａが＋Ｙ側にくるように配置されてもよく、この場合、ディスプレイ装置の側面側（＋Ｚ側及び−Ｚ側）及び後部側（−Ｘ側）からでも投影面２１が視認可能となり、かつ見る角度により視認される画像が異なるので、一画像の表示で、同時に多くの人が異なる画像を楽しめる効果を有する。また、スクリーン２０は、ＸＹ平面あるいはＺＹ平面に平行に配置されてもよい。なお、上記したスクリーン２０に関する事項については、以下の実施形態についても同様である。
【００３１】
プロジェクター３０は、スクリーン２０の投影面２１に投影する光Ｌを反射部４０に向けて射出する。プロジェクター３０は、光Ｌを射出する射出部３１を備える。プロジェクター３０は、射出された光Ｌが反射部４０で反射しかつ反射した光Ｌが投影面２１に投影されるように設定されている。プロジェクター３０は、設置台６０の表面（＋Ｙ側の面）の正面側（＋Ｘ側）の領域に設置される。プロジェクター３０としては、公知の種々のものが採用可能であるが、軽量かつコンパクトであることが望ましい。プロジェクター３０としては、例えばＣＡＳＩＯ計算機株式会社製のＸＪ−Ｍ２５５が用いられ、輝度３０００ルーメンの射出光Ｌが得られる。なお、プロジェクター３０は、設置された状態で、射出部３１の位置あるいは光Ｌの射出方向を調整するための公知の調整機構を備えてもよい。
【００３２】
反射部４０は、プロジェクター３０から射出された光Ｌを反射する。反射部４０は、反射した光Ｌが水平面に対して所定の仰角θ２でスクリーン２０に進入するように角度が設定され、かつ光Ｌが投影面２１に投影されるように配置される。仰角θ２は、略３０°に設定される。この構成によれば、反射した光Ｌを配置後のスクリーン２０においてより前面側（＋Ｘ側）に投影させることができ、画像の中心の位置をより前面側に設定し、前面側から画像を見やすくすることができる。なお、仰角θ２は、略３０°に限定されず、対象者の身長などに応じて仰角θ２の設定を変更することができる。仰角θ２は、例えば略４５°に設定されてもよい。仰角θ２が略４５°に設定される場合、光Ｌは、スクリーン２０に対して直交する方向から投影される。反射部４０は、プロジェクター３０の光Ｌの射出部３１に対向する位置に設置され、設置台６０の表面（＋Ｙ側の面）の後部側（−Ｘ側）の領域に配置されている。また、反射部４０は、設置された状態で水平面及びＹＺ平面に対する角度の調整が可能となっている。
【００３３】
反射部４０は、平板状の鏡であり、透明なガラスから形成された板状のガラス部４１と、ガラス部４１の裏面に金属が蒸着されて形成された反射面４２とを有する。プロジェクター３０から射出された光Ｌは、反射面４２により反射される。反射部４０は、−Ｙ側の端部が設置台６０の表面に当接し、下方から支持される。また、反射部４０の裏面には、軸方向に伸縮自在に形成された棒状の伸縮部材４３が接続されており、これにより反射部４０は支持されるとともに、伸縮部材４３の伸縮に伴って反射部４０の角度が変化する（図１（ｂ）の矢印参照）。
【００３４】
なお、反射部４０は、上記した構成に限定されず、例えば、平板状に代えて曲面状に形成された凸面鏡であってもよい。この場合、プロジェクター３０から反射部４０に入射する光Ｌは、反射部４０の曲率に応じて絞られた状態となっている。また、反射部４０が鏡の場合、反射面４２に対して入射及び出射する光Ｌは、ガラス部４１を通過する際に屈折が生じるが、これを防止するために、反射部４０は、表面（プロジェクター３０側の面）に反射面を備えた金属板や、表面（プロジェクター３０側の面）に反射面４２として金属膜が成膜された板状部材としてもよい。また、この場合の板状部材は、樹脂から形成されてもよく、反射部４０は、鏡が採用された場合に比べて軽量かつ安価で形成可能となる。なお、上記した反射部４０の構成については、以下の実施形態の反射部４４０についても同様である。また、反射部４０の角度調整機構としては、上記した伸縮部材４３以外に、例えばアクチュエータを用いて角度の制御をさせてもよく、公知の種々の角度調整機構を採用することが可能である。
【００３５】
なお、ディスプレイ装置１００において、上記した、スクリーン２０、プロジェクター３０、及び反射部４０の、互いの位置関係や配置場所については、上記構成に限定されず、適宜変更が可能である。
【００３６】
スピーカー５０は、ディスプレイ装置１００において前面（＋Ｘ側の面）の左右に１対が設けられている。スピーカー５０は、設置台６０に設置されたスピーカーユニット５１に保持されている。図３は、図１に示すスピーカー５０及び筒状体７０を示す斜視図である。図３に示すように、スピーカー５０の後部側（−Ｘ側）には、筒状体７０が接続される。筒状体７０の外形寸法は、例えばスピーカー５０の外形寸法とほぼ等しく形成されている。このような筒状体７０を備える構成では、スピーカー５０から音を出力する際に筒状体７０が振動し、音が増幅して放出される。そのため、ディスプレイ装置１００から放出される音量及び音質を確保することができる。
【００３７】
スピーカー５０としては、例えば、外径１０ｃｍのコーン形フルレンジのタイプであるFOSTEX社製のP1000Kが採用されてもよい。また、筒状体７０としては、例えば、紙製の円管状部材が用いられる。また、筒状体７０の外径寸法は、スピーカー５０の外径寸法とほぼ同一に形成されている。
【００３８】
なお、スピーカー５０及び筒状体７０は、軽量かつ小型であることが望ましいが、上記構成に限定されない。スピーカー５０は、公知の種々のものが採用可能である。また、２つのスピーカー５０、５０は、それぞれ異なる構成であってもよく、スピーカー５０は、ディスプレイ装置１００において、１つあるいは３つ以上が設けられてもよい。また、スピーカー５０の配置についても任意に設定可能である。また、筒状体７０は、楕円管形状、長円管形状、あるいは角管形状など、種々の管形状であってよく、例えば金属製や樹脂製などであってもよい。また、筒状体７０は、フレーム１０の−Ｘ側まで延びるように形成されかつ配置されてもよい。この場合、上記した筒状体７０の効果を一層高めることができる。また、スピーカー５０及び筒状体７０の一方あるいは双方は、ディスプレイ装置において、設けられなくてもよい。
【００３９】
図１に戻り、スピーカー５０は、それぞれ配線８０を介してアンプ８１に接続される。このアンプ８１は、設置台６０に設置される。アンプ８１としては、例えば、カードサイズのパーソナルアンプであるFOSTEX社製のAP05が採用されてもよい。なお、配線８０及びアンプ８１は、ディスプレイ装置がスピーカー５０を備えない構成の場合には不要となる。また、配線８０は、有線に代えて無線としてもよい。このような配線８０及びアンプ８１の構成は、以下の実施形態３００等についても同様である。
【００４０】
ディスプレイ装置１００は、カバー９０を備える。カバー９０は、フレーム１０の前後側面（＋Ｘ側、−Ｘ側、＋Ｚ側及び−Ｚ側の面）、上面（＋Ｙ側の面）、及びスクリーン２０における略半球部分を除いた部分を覆うように設けられる。カバー９０には、開口部９１が設けられており、スクリーン２０は開口部９１を介してフレーム１０から突出する。また、スピーカー５０をフレーム１０から突出させるための２つの開口部９２が設けられている。カバー９０の材質は、特に限定はないが、軽量であることが望ましく、紙製や、薄い樹脂製、布製などが好ましい。また、カバー９０を閉じる際には、マグネットや面ファスナーなどが用いられてもよい。なお、このようなカバー９０の一部あるいは全部は設けられなくてもよい。
【００４１】
ディスプレイ装置１００は、図示しないが、プロジェクター３０及びアンプ８１に有線又は無線により通信接続可能なコントローラーを備える。このコントローラーは、演算装置を備え、例えばＳＤカードなどの情報記憶媒体に格納されているコンテンツなどのプログラムデータに基づいて演算処理を行い、プロジェクター３０及びアンプ８１の動作を制御する。コントローラーは、フレーム１０の内側に設置されてもよいし、外側に設置されてもよい。なお、コントローラーは、プログラムデータを記憶するメモリなどの記憶装置を備えてもよい。以下の実施形態に係るディスプレイ装置においても同様である。このようなコントローラーとしては、例えば、ジャパンマテリアル株式会社製のBrightSign（商標）HD120や、アップル社製のMac mini（登録商標）が採用されてもよい。
【００４２】
また、設置後のディスプレイ装置１００は、人との接触等による外部からの衝撃により設置位置から容易に動いてしまうことを防止するために、ディスプレイ装置１００の下部を設置面に固定してもよい。このような固定には、例えば吸盤や面ファスナーなどが用いられてもよい。例えば、ディスプレイ装置１００の下部には、設置面が平滑面の場合、設置面に吸着可能な吸盤が設けられてもよく、設置面の表面が絨毯の場合、多数のフック状の起毛を有し面ファスナーを構成するフック面が設けられてもよい。一方、ディスプレイ装置１００の移動を容易にするために、例えばフレーム１０の下部の４つの角部を含む部分に、キャスターが設けられてもよい。また、このキャスターには、キャスターの回転部分の回転を停止させるストッパーが設けられてもよい。
【００４３】
以上説明したディスプレイ装置１００の構成によれば、ドーム型のスクリーン２０において優れた映像表示を発揮する機能を有するとともに、棒状部材に比べて軽量の筒状に形成され、かつ軽量材料である紙から形成された筒部１１ａ等を有することにより、フレーム１０の強度を維持しつつフレーム１０の軽量化を図り、ディスプレイ装置１００全体の軽量化を実現することができる。また、筒部１１ａ等の材料が安価であるため、ディスプレイ装置１００の製造コストを低減させ、軽量なディスプレイ装置１００を安価で提供することができる。また、フレーム１０は、補強パネル１３ａ等を備える構成であるので、フレームが筒部１１ａ等及び継手部１２ａ等のみから形成される場合に比べて、フレーム１０の構造的強度を向上させることができる。よって、ディスプレイ装置１００の強度を容易に確保することができる。
【００４４】
次に、ディスプレイ装置１００の画像表示の動作の一例について説明する。先ず、プログラムデータに基づいたコントローラーからの指令に従って、プロジェクター３０の射出部３１から反射部４０に向けて光Ｌが射出される。次いで、光Ｌは、反射部４０に入射しかつ反射される。反射面４２に入射及び反射される光は、例えば光軸に直交する断面が円形状の光である。反射面４２に反射された光Ｌは、水平面（ＸＺ平面）に対して上方に傾斜しており、この傾斜角度θ２は略３０°に設定される。そのため、ディスプレイ装置１００の正面に立った人がスクリーン２０の斜め上方から画像全体を容易に視認可能となっている。反射面４２に反射された光Ｌは、スクリーン２０に投影されて、略半球面状の画像が表示される。
【００４５】
続いて、ディスプレイ装置１００の組立方法の一例について説明する。先ず、上部フレーム１０ａが組み立てられる。図２に示すように、補強パネル１３ａ、１３ｂのそれぞれは、予め筒部１１ｂ及び継手部１２ａ、１２ｂと一体的に組み立てられており、筒部１１ａの両端部をそれぞれ継手部１２ａに挿入して上部フレーム１０ａが完成する。次いで、下部フレーム１０ｂが組み立てられる。補強パネル１３ｂ、１３ｃのそれぞれは、予め筒部１１ｄ、１１ｆ及び継手部１２ｃ、１２ｇ、１２ｆと一体的に組み立てられている。また、支持部１４についても、同様に筒部１１ｃ、１１e、１１ｈ及び継手部１２ｄ、１２eにより予め一体的に組み立てられている。支持部１４の筒部１１ｃが継手部１２ｃ、１２ｆの挿入口に嵌め込まれて下部フレーム１０ｂが完成する。
【００４６】
続いて、支持部１４に設置台６０が載置され固定される。続いて、設置台６０にスピーカーユニット５１、プロジェクター３０、及びアンプ８１が設置され、それぞれ配線接続される。
【００４７】
続いて、筒部１１ｉが継手部１２ｂに嵌め込まれ、上側フレーム１０ａと下側フレーム１０ｂが互いに接続されてフレーム１０が完成する。
【００４８】
続いて、カバー９０をフレーム１０の上方から被せた状態で、スクリーン２０及び反射部４０を設置し、さらに反射部４０の角度を調整する。最後にカバー９０を閉じて、ディスプレイ装置１００が完成する。このように、各構成部材を上記の手順で組立てるだけで、容易かつ確実にディスプレイ装置１００を完成させることができる。そのため、ディスプレイ装置１００を設置する場合に、完成品を設置場所に搬入してもよいが、個々の構成部材ごとに分けて搬入し、設置場所で組み立てることも可能となる。このように設置場所で組み立てる場合、ディスプレイ装置１００の搬入コストを低減できる。一方、分解する場合には、上記した組立の手順とは逆の手順で行えばよい。よって、ディスプレイ装置１００を構成部材ごとに分解して、外形を小さくしてから搬出することができる。
【００４９】
＜第２実施形態＞
次に、第２実施形態に係るディスプレイ装置の一例について説明する。図４は、本実施形態に係るフレームの一例を示し、（ａ）は斜視図、（ｂ）は、フレームを構成する筒部の断面である。以下に説明する第２実施形態に係るディスプレイ装置は、フレームの構成を除き、第１実施形態に係るディスプレイ装置１００と同一または同等に構成される。よって、以下の第２実施形態の説明では、本実施形態に係るフレーム２１０について説明し、他の構成に係る部分については、同一の符号を付して説明を省略または簡略化する。なお、本実施形態に係るディスプレイ装置の組立手順は、上記したディスプレイ装置１００とほぼ同様である。
【００５０】
フレーム２１０は、図４（ａ）に示すように、２８本の筒部２１１、１０個の３方分岐構造の継手部２１２ａと、４個の４分岐構造の継手部２１２ｂと、２個の５分岐構造の継手部２１２ｃと、を有している。
【００５１】
筒部２１１は、直線状に延びる円管状の部材であり、ディスプレイ装置において、Ｘ方向、Ｙ方向、又はＺ方向に対して平行に配置される。筒部２１１は、アルミニウム製である。なお、筒部２１１の材料は、アルミニウムに代えて、アルミニウム合金やステンレスなどの他の軽量金属や樹脂などの軽量材料であってもよい。
【００５２】
筒部２１１の寸法は、例えば、外径Ｂが２０〜４０ｍｍ、肉厚Ｃが１〜２ｍｍであり、かつ長さがそれぞれ同一に設定されている。このように筒部２１１の外径Ｂが２０ｍｍ以上かつ肉厚Ｃが１ｍｍ以上であることにより、ディスプレイ装置の骨格としての強度及びスクリーン２０を保持可能な強度の確保が容易となる。また、外径Ｂが４０ｍｍ以下かつ肉厚Ｃが２ｍｍ以下であることにより、フレーム２１０を軽量かつ小型に形成することができる。また、それぞれの筒部２１１の各寸法が同一であるので、材料調達コストの低減及びフレーム２１０の組立の容易化を図ることができる。
【００５３】
以上のように、本実施形態に係るディスプレイ装置の構成によれば、ドーム型のスクリーン２０において優れた映像表示を発揮する機能を有するとともに、棒状部材に比べて軽量の筒状に形成され、かつ軽量素材であるアルミニウム製の筒部２１１を有することにより、フレーム２１０の軽量化を図り、ディスプレイ装置全体の軽量化を実現することができる。また、筒部２１１はアルミニウム製のため、紙製の場合に比べてフレーム２１０の強度が確保されるので、フレーム２１０には補強パネルなどの補強部材を設ける必要がない。そのため、フレーム、ひいてはディスプレイ装置をシンプルな構成とし、ディスプレイ装置の組み立て及び設置の容易化、並びにディスプレイ装置のコンパクト化を実現することができる。なお、本実施形態のフレーム２１０には、補強部材が設けられてもよく、このような補強部材として、上記した補強パネル１３ａ等の構成が用いられてもよい。この場合、フレーム２１０の強度をより一層向上させることができる。
【００５４】
＜第３実施形態＞
続いて、第３実施形態に係るディスプレイ装置の一例について、図５を参照しながら説明する。図５は、本実施形態に係るディスプレイ装置の一例の要部を示し、（ａ）は斜視図、（ｂ）は正面図である。以下の説明において、第１実施形態と同一または同等の構成部分については同一符号を付けて説明を省略または簡略化する。
【００５５】
ディスプレイ装置３００は、図５に示すように、フレーム３１０と、スクリーン２０と、プロジェクター３０と、反射部４０と、スピーカー３５０と、を有している。ただし、設置台６０及びスピーカーユニットは設けられていない。
【００５６】
フレーム３１０は、ディスプレイ装置３００の骨格を形成する部材である。フレーム３１０は、下部フレーム３１０ａと、側部フレーム３１０ｂと、上部フレーム３１０ｃ（スクリーン支持部）とを有している。下部フレーム３１０ａは、水平面（ＸＺ平面）に対して平行に配置され、例えば屋内の床上に配置される。側部フレーム３１０ｂは、下部フレーム３１０ａと上部フレーム３１０ｃとを接続している。上部フレーム３１０ｃは、スクリーン２０を支持する部材であり、角度θ１１で水平面に対して傾斜している。角度θ１１は、略４５°に設定されるが、これ以外の角度に設定されてもよい。上部フレーム３１０ｃは、側部フレーム３１０ｂとの接続部分を通るＺ軸に平行な軸Ｅを中心に、下部フレーム３１０ａ及び側部フレーム３１０ｂに対して相対的に回転可能に形成される。また、角度θ１１は、調整が可能となっている。これにより、上部フレーム３１０ｃを折りたたむことが可能となっている。このようなフレーム３１０には、布製などのカバーが被せられてもよい。
【００５７】
フレーム３１０は、９本の筒部３１１、３１１ａ、６個のＬ字型の継手部３１２ａ、及び２個の３方分岐構造の継手部３１２ｂ、３１２ｃを有している。筒部３１１、３１１ａは、上記した筒部２１１と同様の形状に形成され、かつ紙製あるいはアルミニウム製である。なお、筒部３１１、３１１ａは、アルミニウム合金やステンレスなどの他の軽量金属や樹脂などの軽量材料であってもよい。継手部３１２ｂ、３１２ｃは、Ｌ字状部材とソケット状部材とがネジを介して互いに接続された構成となっており、３方向の軸のうちの１つの軸が、互いにＬ字状に接続された他の２方向の軸に対して相対的に回転可能となっている（図５（ｂ）参照）。また、継手部３１２ｂ、３１２ｃは、回転角度の角度調整が可能な角度調整部を構成する。角度調整部３１２ｂ、３１２ｃは、それぞれフレーム３１０の−Ｚ側及び＋Ｚ側に配置されており、それぞれ−Ｚ側及び＋Ｚ側の側部には上記ネジを回転させるためのつまみ３１４が設けられている。角度調整部３１２ｂ、３１２ｃにより角度調整する場合、上記ネジを緩める方向につまみ３１４を回転させ、ネジが緩んだ状態となったら所定の角度に調整し、その角度を維持した状態で上記ネジを締める方向につまみ３１４を回転させて、所定の角度に固定することで完了する。なお、角度調整は、つまみを回転させる構成に代えて例えば六角レンチなどを用いて調整される機構としてもよい。
【００５８】
スクリーン２０は、軸Ｅを通る筒部３１１ａに設けられた２個のフック３９１及び上部フレーム３１０ｃにより支持される。スクリーン２０は、角度θ１１で水平面に対して傾斜して配置される。フック３９１は、それぞれＺ方向から見てＳ字状の形状となっているが、このようなフック３９１の形状は一例であって、スクリーン２０を下方から支持可能な任意の形状が適用される。また、筒部３１１ａにおけるフック３９１の設置数や設置位置についても、スクリーン２０を支持可能であれば任意である。プロジェクター３０及び反射部４０は、フレーム３１０の内側に設置され、例えば屋内の床上に直接設置される。なお、伸縮部材４３は、矩形の板状のミラー台３４４の表面に設置される。スクリーン２０の水平面に対する角度θ１１は、角度調整部３１２ｂ、３１２ｃにより容易に調整可能である。
【００５９】
スピーカー３５０は、フレーム３１０の外側に設置され、配線３８０を介してアンプ３８１に接続される。なお、スクリーン２０の支持にはフック３９１が用いられるが、これに限定されず、上部フレーム３１０ｃ上に搭載可能な手段であれば任意である。なお、スピーカー３５０は、フレーム３１０の内側に設置されてもよく、上記したスピーカー５０の構成としてもよい。また、スピーカー３５０に筒状体７０が接続されてもよい。
【００６０】
このようなディスプレイ装置３００の構成によれば、部品点数が少なく簡素な構成で形成可能となる。また、角度調整部３１２ｂ、３１２ｃにより、不使用時には、上部フレーム３１０ｃを側部フレーム３１０ｂに対してＸ方向に重なるように折りたたんで、ディスプレイ装置３００をコンパクトな形状にすることが可能となり、使用時には、上部フレーム３１０ｃを元の位置まで回転させるだけでフレーム３１０を使用可能な状態に容易に組み立てることが可能となる。よって、このようなディスプレイ装置３００の搬送、組立、及び収納の容易化を実現できる。
【００６１】
なお、本実施形態のフレーム３１０には、補強部材が設けられてもよく、このような補強部材として上記した補強パネル１３ａ等の構成が採用されてもよい。この場合、補強パネルは、例えば各フレーム３１０ａ、３１０ｂ、３１０ｃに対して平行に配置されてもよく、各フレーム３１０ａ、３１０ｂ、３１０ｃの強度をより一層向上させることができる。上記の点については、後述するフレーム４１０においても適用が可能である。
【００６２】
＜第４実施形態＞
続いて、第４実施形態に係るディスプレイ装置の一例について、図面を参照しながら説明する。図６は、本実施形態に係るディスプレイ装置の一例の要部を示す斜視図である。実施形態に係るディスプレイ装置は、図６に示すように、フレーム４１０と、反射部４４０とを有している。フレーム４１０及び反射部４４０以外の構成については、上記したディスプレイ装置３００と同様である。よって、以下の説明において、第３実施形態と同一または同等の構成部分については同一符号を付けて説明を省略または簡略化する。
【００６３】
フレーム４１０は、下部フレーム４１０ａと、反射部支持用フレーム４１０ｄとを備える。下部フレーム４１０ａは、水平面に平行に配置され、側部フレーム３１０ｂの−Ｙ側に接続されている。また、反射部支持用フレーム４１０ｄは、角度調整機構を備えた継手部４１２ｂ、４１２ｃを介して、下部フレーム４１０ａの−Ｘ側に接続されている。筒部４１１、４１１ａは、軸方向の長さが筒部３１１に比べてやや短く形成されるが、長さ以外の構成は筒部３１１とほぼ同様である。継手部４１２ｂ、４１２ｃの構成は、それぞれ上記した角度調整部３１２ｂ、３１２ｃとほぼ同様であるが、異なる構成であってもよい。これにより、反射部支持用フレーム４１０ｄは、継手部４１２ｂ、４１２ｃを通りかつＺ方向に平行な軸Ｆ周りに回転可能となっている。また、反射部支持用フレーム４１０ｄの水平面に対する角度は、継手部４１２ｂ、４１２ｃにより調整が可能となっている。また、反射部支持用フレーム４１０ｄは、軸Ｅに沿って筒部４１１ａが設けられており、筒部４１１ａには反射部４４０を支持するためのフック４９１が２つ設けられている。フック４９１の構成は、上記したフック３９１と同一であるが、異なる構成であってもよい。
【００６４】
反射部４４０は、伸縮部材４３が設けられない点を除き、上記した反射部４０とほぼ同様の構成である。反射部４４０は、フック４９１により−Ｙ側の端部が支持されるとともに、反射部支持用フレーム４１０ｄにより裏面側から支持される。反射部４４０は、ガラス部４１と反射面４２とを有する。反射部４４０としては、例えば板状の鏡が採用される。反射部４４０は、反射部支持用フレーム４１０ｄが軸Ｆ周りに回転し回転角度が調整される。これにより、反射部４４０の水平面に対する角度が所定の角度に調整される。反射部４４０の水平面に対する角度の調整は、継手部４１２ｂ、４１２ｃにより容易に行うことができる。
【００６５】
本実施形態に係るディスプレイ装置の構成によれば、上記したディスプレイ装置３００の効果に加えて、反射部支持用フレーム４１０ｄを軸Ｆ周りに回転させることにより、反射部支持用フレーム４１０ｄを下部フレーム４１０ａの上部側（＋Ｙ側）に折りたたむことが可能となる。そのため、不使用時に、ディスプレイ装置をコンパクトな形状に構成することが可能となる。また、使用時に、反射部支持用フレーム４１０ｄを元の位置まで回転させるだけで、容易にフレーム４１０を使用可能な状態に組み立てることができる。よって、このようなディスプレイ装置の持ち運び、組立、及び収納が容易となる。
【００６６】
＜変形例＞
続いて、上記した実施形態に係るディスプレイ装置のフレーム１０等の第１〜第３変形例を示す。図７の（ａ）〜（ｃ）は、それぞれ上記した実施形態に係るディスプレイ装置のフレームの第１〜第３変形例を示す。
【００６７】
第１変形例５１０は、継手部５１３を備える。継手部５１３は、図７の（ａ）に示すように、軸の変形が可能な蛇腹形状部５１３ａを有するフレキシブル管であり、例えば金属製である。角度調整部３１２ｂ、３１２ｃ及び継手部４１２ｂ、４１２ｃの一部または全部は、このような継手部５１３に置き換えてもよい。
【００６８】
第２変形例６１０は、継手部６１３を備える。継手部６１３は、図７の（ｂ）に示すように、筒部１１ａ等が挿入される２つの挿入部６１４とネジ部６１５とを有しており、挿入部６１４のそれぞれは、ネジ部６１５を軸に相対的に回転可能となっている。
【００６９】
第３変形例７１０は、筒部７１１を有する。筒部７１１は、図７の（ｃ）に示すように、それぞれの外径寸法が異なりかつ伸縮自在に組み合わされた複数の筒状部材７１１ａ、７１１ｂ、７１１ｃを有している。筒状部材７１１ｂ、７１１ｃのそれぞれの所定の位置には、筒状部材７１１ｂ、７１１ｃを径方向に貫通した貫通孔７１３ｂ、７１３ｃが設けられ、さらに貫通孔７１３ｂ、７１３ｃの内周面には雌ネジ７１４ｂ、７１４ｃが形成されている。筒状部材７１１ｂ、７１１ｃの雌ネジ７１４ｂ、７１４ｃには、雌ネジ７１４ｂ、７１４ｃと互いに螺合する雄ネジ７１５ｂ、７１５ｃが設けられている。このような構成により、筒部７１１は、軸方向の長さの調整が可能となっており、ディスプレイ装置の設置スペースに応じて筒部７１１の長さを適宜調節することができる。     
【００７０】
以上、本発明の実施形態及び変形例について説明したが、本発明は、上述した説明に限定されるものではなく、本発明の要旨を逸脱しない範囲において種々の変更が可能である。また、上記した実施形態及び変形例の構成の一部は、省略されてもよく、他の実施形態及び変形例の構成の一部と置き換えてもよい。
【符号の説明】
【００７１】
Ｌ…光  
θ１…傾斜角度
θ２…仰角
１０、２１０、３１０…フレーム
１１ａ、１１ｂ、１１ｃ、１１ｄ、１１ｅ、１１ｆ、１１ｇ、１１ｈ、１１ｉ、２１１、３１１、３１１ａ、７１１…筒部
１３ａ、１３ｂ、１３ｃ、１３ｄ…補強パネル
２０…スクリーン
２０ａ…天頂部
３０…プロジェクター
４０…反射部
５０…スピーカー
７０…筒状体
１００、３００…ディスプレイ装置
３１０ｃ…上部フレーム（スクリーン支持部）
３１２ｂ、３１２ｃ…角度調整部
【図１】
2017102135.tif 000003
【図２】
2017102135.tif 000004
【図３】
2017102135.tif 000005
【図４】
2017102135.tif 000006
【図５】
2017102135.tif 000007
【図６】
2017102135.tif 000008
【図７】
2017102135.tif 000009